(57)【要約】      （修正有）【課題】秋から春先までの時期に起こる結露を解消するために提供する。【解決手段】窓枠および窓面を巻き取りができるシート（ＰＭＭＡ、ＰＣ、ＰＳ等のいずれかでできたもの）で覆うことにより、窓の外側へ急速に通過した室内熱（通過熱）を本発明の窓枠および窓面が直接外気に触れることを防ぎ、それにより、結露を防止させる。透明シートをはじめとする網目、赤外線カット、紫外線カット、ステンドガラス風、絵画印刷、写真印刷等各シートを格納庫にロール状に納め、任意のシートを引き出すことにより、それぞれの目的を果たすことが結露防止と共にでき、しかも二重ガラス、ペアガラス（多重層）より、安価に、また現在使用している窓ガラスを活かしたままセットできる。巻き上げは手動式、電動式。その他、センターより左右に開閉、左右いずれかに開閉、窓下に取り付け窓の上にスライド式もある。【選択図】図３−Ｂ
2009270415.tif 000002
【特許請求の範囲】
【請求項１】
図３−Ａのように窓枠、窓面を覆う透明シート（メタル樹脂ＰＭＭＡポリカーボートネートＰＣ、ポリヌチレンＰＳ等）は、格納庫内にロール状に巻き込み、何本かセットし、必要に応じ格納庫より引き下げることにより、窓ガラスと同じ目的を持ち、なおかつ同時に二重三重四重に引き下げたシートにより、通過熱を段階的に強化し、それにより高化的な結露防止装置の窓枠および窓ガラスシートとなる。その他、これらのシートの材料を加工することにより、あるいは加工されたもので図３−Ｂ、図３−Ｅ−５虫防止網シート、図３−Ｂ赤外線カットシートや紫外線カットシート、赤色透明、青色透明、黄色透明、緑色透明、ステンドガラス風の彩色や写真撮影による風景、絵画印刷シート等をロール状に巻き、セットすることもできる。そのとき、赤外線カットシートや紫外線カットシートに上記に記している赤色、青色、黄色、緑色、ステンドガラス風彩色や写真撮影による風景、絵画印刷等を加工し、ロール状に巻きセットすることもできる。つまり二重サッシ（ガラス窓）装置とかペアガラス（多重層ガラス窓）等よりも安価に取り付けができ、現在ついている窓に簡単に取り付けも可能であり、二重ガラス、ペアガラスにとってかわるものであり、それらのガラスより結露に対し、より効果をねらったものである。現在市販されている、あるいは施工されている二重ガラス、ペアガラス等では結露発生が、いまだに解決されていないこともあり、非常に有効である。結露については、例えば冬季、屋外の温度５℃のとき内部の温度は３０℃に保たなければない部屋があったとする。この部屋の窓ガラスが４ｍｍとしたとき、窓ガラスを通じて単位面積あたり一体どの位の温度（熱）が外気へ逃げているのか、またこのとき窓ガラスの内側および外側の温度はいくらになっているのか、但しガラスの熱伝導率は０．７６ｗ／（ｍ，ｋ）、ガラスの内側および外側の熱伝導率はそれぞれ１０、および５０ｗ／（ｍ２，ｋ）とする。
熱通過率ｋは
2009270415.tif 000003
したがって、定常状態においてガラスの単位面積（１ｍ２）を単位時間（１ｓ）に通過する
熱流束ｑは
ｑ＝ｋ（θｆ１−θｆ２）＝７．９８（３０−５）＝１９９．５Ｗ／ｍ２
ガラスの内側の温度をθｗ１とすると、熱通過量ｑはまたガラス内側での熱伝達量にも等しい。
よって、
ｑ＝ｈ１（θｆ１−θｗ２）＝１０（３０−θｗ１）＝１９９．５  ∴θｗ１＝１０．１℃
同様にして、ガラスの外側の温度をθｗ２とすると、
ｑ＝ｈ２（θｗ２−θｆ２）＝５０（θｗ２−５）＝１９９．５  ∴θｗ２＝９．０℃
【発明の詳細な説明】
【技術分野】
【０００１】本発明は以下に述べる理論より、それを実行する為に図３−Ａで示すように、シート（樹脂シート）をロール状にセットし、それを引き出し図３−Ｂ、窓枠上に設けたレール上溝に沿い、シートを送り出すことで、窓枠と窓ガラス面全部を覆い、結露を防止することを図ったものである。また、図３−Ｆ、図３−Ｇ、図３−Ｉのように開閉ができる原理は同じであるが、図３−Ｆの場合は、シート（樹脂シート）をロール状にし、格納庫内に巻き取ったシート（樹脂シート）を左右開閉式に、図３−Ｇの場合は、左右どちらかに格納庫を設置する。そのとき両開き戸の場合は、センターにガイドを設ける（図３−Ｈ）ことにより、シートのたれ、風圧等によるひずみを防止する。図３−Ｉは、下方向より上方向にセットした図である。いずれも結露防止効果には変りはない。但し、雨や砂、塵、埃等の影響があり、他の開閉式とは違い、防雨、防砂、防塵、防埃用のパッキンで仕上げる。窓をガラス一枚でつくると、その室内側の表面温度は他の部位に比べて極端に温度が低くなる。図４のような場合に、室温が２０℃、外気が０℃とした場合のＡとＣの室内側の表面温度を微分で求めてみると、Ａは１１．３℃であるのに対して、Ｃは７．０１℃となる。このため室内空気の相対湿度が４３％になるとガラス面には結露が生じる。これに対しコンクリートの壁面では、５７％にならないと結露が生じない。もし、コンクリート壁面に２５ｍｍの断熱材（熱伝導率０．０３ｋｃａｌ／ｍｈ℃）を付加すると、その表面温度は１７．８℃となるので８７％が露点となる。このようにガラス一枚の場合は、室内側の表面温度が低すぎて、最も早く結露が現れる。ガラスは熱伝導率が大きいので、３ｍｍであろうと６ｍｍであろうと、その厚みで結露の発生が変化することはない。さらに、ガラスの表面温度が低いと、それに触れている空気が冷却されて密度が大きくなり、下降流が促進されると同時に、ガラスに触れている空気湿度が、他の一般空気より低くなる。すると、当然ながらガラスの表面温度が低くなり、結露が促進されることになる。Ｂの窓枠部分は、アルミニウムの熱橋となり、この部分もガラス面と同じように極端に湿度が低くなる。昔のように木材の枠であった時代は、木の熱伝導率はアルミニウムや鉄に比べてはるかに熱を通しにくいので、室内表面は極端に低温にならなかったのであるが、熱伝導率は木材０．１１〜０．１５ｋｃａｌ／ｍｈ℃、プラスチック０．１５〜０．２５ｋｃａｌ／ｍｈ℃、鉄３８〜４７ｋｃａｌ／ｍｈ℃、アルミニウム１８０ｋｃａｌ／ｍｈ℃とアルミニウムは木材の１２００倍の熱を通す材料であるから、強い冷熱橋をつくってしまう。従って、住宅の設計の場合は、アルミニウムの窓の内側に木材やプラスチックの仕上げ枠を設けておくことが望ましい。金属サッシの二重窓の場合は、外枠と内枠の縁を切り、断熱材をはさんでおくとよい。図３−Ｂのように透明シートでガラス枠、ガラス面を覆うと同時に不透明および赤、青、白、黄、緑等多色のシートいずれかを格納庫にセットすることにより、本発明の目的である結露防止を満たすと共に、不透明にすることにより、防犯（シートを厚くも薄くも目的によって自由にセットすることができる。但し、限界はシートが巻き込めること）、部屋の内部が外部より見えなくすることもできる。汚れ破損の場合は切取りカッターの部分で、切取り（図３−Ｃ）ができ、また切り取った部分より、格納庫に納まっているシートを引き出し、そのシートに枠をセットすること（図３−Ｄ）も非常に簡単である。
【背景技術】
【０００２】従来は、窓枠と窓ガラス全部を格納できる（丸められる）素材（メタクリル樹脂（ＰＭＭＡ）、ポリカーボネート（ＰＣ）、ポリスチレン（ＰＳ）、塩化ビニール（ＰＶＣ）等）シート状（丸められる厚さ０．０９〜０．９ｍｍ位）で覆い結露を防止する窓枠を含む窓ガラス、窓枠等（サッシ、木製、樹脂コーティング等）のものはなかった。しかも採光性（透明性）にも優れている。（ガラス以上の透明性を持つ樹脂もある）従来の窓枠は、総じて引き違い戸である。二重ガラス、ペアガラス等も総じて引き違い戸である。
【発明の開示】
【発明が解決しようとする課題】
【０００３】現在の住宅・建造物では採光性の面から多くの窓ガラスが取り付けられているが、これらは断熱性と相反する要素である。ここからの熱の流出入を防ぐ目的で、Ｌｏｗ−Ｅ（Ｌｏｗ−Ｅｍｉｓｓｉｏｎ）ガラスという放射熱を抑える金属皮膜がついた板ガラスやフィルムを使ったり、複層ガラスという二層の板ガラスの６ｍｍから１２ｍｍの隙間に乾燥空気やアルゴンガスを充填したり、真空層を作ったり、２重サッシにすることで断熱性を持たせている物も利用されている。ヨーロッパの一部では、トリプルガラスという三層の板ガラスに乾燥空気とアルゴンガスを充填してさらにＬｏｗ−Ｅガラスを付けたものもある。また、アルミで出来たサッシも非常に熱を通し易いため、樹脂や木製サッシや、室内側を樹脂や木製にした複合サッシも一般的である。以前は、木製サッシは燃える素材であるというから使用が禁止されていたが、アルミサッシは簡単に熔けてしまうが、木製サッシは中までは燃えないとういうことが叫ばれたこともあり、性能を試験して示せば素材は制限されないとうことに法改正された。ただし、施工費が一般的な窓ガラスよりも割高となるため中々普及していない。以上のように、高度な技術からなる原価高、上記にも記した、施工技術の高さよりくる割高さ、維持、管理、補修（メンテナンス）の難しさ、重量が大きくなるため、大工事になってしまう難点があった。本発明では、この課題を解消するために、なされたものである。
【課題を解決するための手段】
【０００４】図１図２のように非常に簡単な取り付けで良い。窓枠と窓面全体を覆う事によって、窓枠と窓面を直接外気と触れる事が無く、且つ窓面より通過してくる暖かい通過熱をこの面で防ぎ、ある意味での一時的蓄熱層をつくる事により、次から次に室内より送られてくる熱を利用する事により、急速な温度（室内及び窓枠、窓面）低下を防ぐ事にした。また、昼間など外気を取り込みたい時は格納庫内にシート（ＰＭＭＡ、ＰＣ、ＰＳ、ＰＶＣ等の何れかで出来たもの）を取り巻き、格納する事が出来る。また、ベランダ等にある窓においては、荷物の取り込みや出入りの邪魔にならない様にした。
【発明の効果】
【０００５】現在使用している窓枠と窓ガラスを新しく取り替えることも無く、施工が簡単で安価に済み、窓面（ＰＭＭＡ、ＰＣ、ＰＳ、ＰＶＣ等の何れかで出来たもの）シートは、汚れや、破損した場合も巻き込み式なので、引っ張り出せば良く、便利でもある。エネルギー消費が急速に増大した今日、冷暖房効率が良く、エネルギーコスト削減、地球温暖化防止にも、循環問題に役立つ。以下、本発明の実施の形態について説明する
（イ）シート（ＰＭＭＡ、ＰＣ、ＰＳ、ＰＶＣ等の何れかで出来たもの）が先に巻き込まれている格納庫を窓枠と窓面が取り付けられている壁面上部に格納庫を取り付ける。
そこより、シートを引き出し、窓枠面に蓄熱層を造るための枠につけられているシートが通る溝の中にシートを通し、枠の一番下まで下ろし（シートの一番下の部分に、ストッパーとなる棒がある）ストッパーで止める。これで完了。
（ロ）巻き上げる時は、ストッパーを解除し、巻き取り格納庫におさめる。
【実施例１】
【０００６】
【図面の簡単な説明】
【０００７】
【図１−Ａ】通常のガラス枠およびガラス面を示す。
【図１−Ｂ】本発明の全体の透し図である。（正面図）と同時に使用状態を示す。
【図２】本発明の取り付け手順図であり、分解、透し図である。（正面、側面）
【図３−Ａ】本発明の格納庫内および格納庫外部窓枠溝（シートが通る溝）の透し図である。
【図３−Ｂ】本発明の格納庫よりシートを引き出した図である。
【図３−Ｃ】本発明の破損、汚れ等によりシートを取り外し、または切り取りする図である。
【図３−Ｄ】シートをシート枠にはさみ、セットをする手順およびセットをした図である。
【図３−Ｅ】各種シートをセットした状態を示す。▲１▼絵画印刷シートをセットした状態を示す。▲２▼写真印刷によるシートをセットした状態を示す。▲３▼写真印刷による風景シートをセットした状態を示す。▲４▼ステンドガラス風の彩色シートをセットした状態を示す。▲５▼虫防止網シートをセットした状態を示す。▲６▼ステンドガラス風の彩色シートをセットした状態を示す。
【図３−Ｆ】中央に格納庫があり、窓面シートが左右に開閉する図である
【図３−Ｇ】左側に格納庫があり、窓面シートが右側に開閉する図である。
【図３−Ｈ】中央にガイドがあり、風圧やシートのゆがみを補正する図である。
【図３−Ｉ】下側に格納庫があり、窓面シートが上に開閉する図である。
【図４】窓ガラス、窓枠を取り付けてある壁面、サッシまわりの伝熱断面図である。
【図１−Ａ】
2009270415.tif 000004
【図１−Ｂ】
2009270415.tif 000005
【図２】
2009270415.tif 000006
【図３−Ａ】
2009270415.tif 000007
【図３−Ｂ】
2009270415.tif 000008
【図３−Ｃ】
2009270415.tif 000009
【図３−Ｄ】
2009270415.tif 000010
【図３−Ｅ】
2009270415.tif 000011
【図３−Ｆ】
2009270415.tif 000012
【図３−Ｇ】
2009270415.tif 000013
【図３−Ｈ】
2009270415.tif 000014
【図３−Ｉ】
2009270415.tif 000015
【図４】
2009270415.tif 000016